(57)【要約】【課題】起立性が早く、立体形状が安定するとともに、使用によってもバッグの形状が傾くおそれがない、自立型の折り畳み式バッグ。【解決手段】左右に間隔をあけて２つのバネ材２を縦に並べ、これらの上下端を一体に接続した四辺形のバネ枠５を２個相対向して設け、前記各バネ材２は中央部で螺旋巻きして当該螺旋巻き部２ａから僅かに傾斜して上下に伸びた線条体２ｂから成り、当該バネ材２はバネの力に抗して上下方向に押圧すると螺旋巻き部２ａを支点として内側に折り曲げ可能とし、当該２個の各バネ枠５の上片３及び下片４の間に、四辺形枠体６を夫々設け、前記各バネ枠５の上片３又は下片４と相応する各四辺形枠体６の一片を回転自在に束ねる第１の接続部材７を設け、前記バネ枠５及び四辺形枠体６から成る骨組み枠体１を袋状のバッグ本体で被い、前記バッグ本体の上下端を前記バネ材２が折り畳まれた状態で固定する係止手段を設けた。【選択図】      図３
2017185091.tif 000002
【特許請求の範囲】
【請求項１】
上方が円又は多角形の枠体と下方が円形又は多角形の枠体又は板体を上下に間隔をあけて設け、
これらの上下の枠体又は板体に、間隔をあけて３個以上のバネ材の上下端部を回動自在に接続し、
各バネ材は中央部で螺旋捲きして当該螺旋巻き部から常時は僅かに傾斜して上下に伸びた線条体から成り、これらのバネ材はバネの力に抗して上下を押圧すると前記螺旋巻き部を支点として内側に折り曲げ可能とし、
これらの枠体又は板体及びバネ材から成る立体枠体を柔軟な素材から成り、上端が開口した有底の袋状のバッグ本体で被い、
前記バッグ本体の上下端、又は上下の枠体又は板体を前記バネ材が折り畳まれた状態で固定する係止手段を設けたことを特徴とする、自立型折り畳みバッグ。
【請求項２】
左右に間隔をあけて２つのバネ材を縦に並べ、これらの上下端を一体に接続した四辺形のバネ枠を２個相対向して設け、
前記各バネ材は中央部で螺旋巻きして当該螺旋巻き部から常時は僅かに傾斜して上下に伸びた線条体から成り、これらのバネ材はバネの力に抗して上下方向に押圧すると前記螺旋巻き部を支点として内側に折り曲げ可能とし、
これらの２個の各バネ枠の上片の間に、当該上片と略同じ長さの一対の辺を有する四辺形枠体を設け、前記各バネ枠の上片と相応する四辺形枠体の一片を回転自在に束ねる第１の接続部材を設け、
前記各バネ枠の下片の間に、当該下片と略同じ長さの一対の辺を有する四辺形枠体又は四辺形板体を設け、前記各バネ枠の下片と相応する四辺形枠体の一片を回転自在に束ねる第１の接続部材を設けるか又は前記各バネ材の下片を相応する四辺形板体の両側縁に回転自在に取り付ける第２の接続部材を設け、
前記バネ枠及び四辺形枠体又は四辺形板体から成る立体枠体を柔軟な素材から成り、上端が開口した有底の袋状のバング本体で被い、
前記バッグ本体の上下端、又はバネ枠の上片及び下片、又は上下の四辺形枠体又は四辺形板体を前記バネ材が折り畳まれた状態で固定する係止手段を設けたことを特徴とする、自立型折り畳みバッグ。
【請求項３】
前記立体枠体の内周面が柔軟な素材で被われたことを特徴とする、請求項１又は２に記載の自立型折り畳みバッグ。
【請求項４】
前記係止手段は、一方が前記バッグ本体の上端又は下端に取付けられたバックル雄型部材であり、他方が前記バッグ本体の下端又は上端に取付けられたバックル雌型部材であることを特徴とする、請求項１〜３のいずれかに記載の自立型折り畳みバッグ。
【請求項５】
前記バッグ本体の開口部の相対向する箇所に手提げが設けられたことを特徴とする、請求項１〜４のいずれかに記載の自立型折り畳みバッグ。
【発明の詳細な説明】
【技術分野】
【０００１】
この発明は、保管時等は嵩張らず、使用時に大きい容量となる自立型折り畳み式バッグに関するものである。
【背景技術】
【０００２】
この種の折り畳み式バッグとしては、特許文献１に示すように、柔軟な素材より成る有底筒状体の胴部の内周に螺旋状のコイルばねを配し、このコイルばねの上端を前記有底筒状体の開口部近辺に固定し、前記コイルばねの下端を前記有底筒状体の底部近辺に固定したもので、当該バッグを収縮した状態で、前記有底筒状体の開口部と底部とを固定する係止具を設けているものがある。
【０００３】
この折り畳み式バッグは使用時には前記コイルばねの反発力で胴部が上下に伸び、その全体形状が立体形状に維持されるため、収納物の出し入れ等がしやすく便利なものである。また、保管や運搬等の不使用時は、前記コイルばねを収縮させた状態を係止具で固定することにより小さく折り畳んでコンパクトにすることができる。
【先行技術文献】
【特許文献】
【０００４】
【特許文献１】特開２００１−１１２５２８号公報
【発明の開示】
【発明が解決しようとする課題】
【０００５】
しかしながら、特許文献１の折り畳みバッグは、  有底筒状体の胴部を螺旋状のコイルばねで巻き、当該コイルばねの収縮に対する反発力で胴部を上下に伸長させているもので、反発力が弱くなりやすく、使用によって所定の高さに伸長しなくなる恐れがある。また、前記コイルばねを強固なものにし、反発力の高いものとすると、収縮しにくく、また、折り畳み収縮状態でのコンパクトな固定が難しい。また、螺旋式なので、使用によってバッグ全体の形状が斜めに傾く恐れがある。
【０００６】
そこで、この発明は、これらの問題点に着目して発明されたもので、起立性が早く、立体形状が安定するとともに、使用によってもバッグの形状が傾くおそれがない、自立型の折り畳み式バッグを提供することを目的としたものである。
【課題を解決するための手段】
【０００７】
請求項１の発明は、上方が円又は多角形の枠体と下方が円形又は多角形の枠体又は板体を上下に間隔をあけて設け、これらの上下の枠体又は板体に、間隔をあけて３個以上のバネ材の上下端部を回動自在に接続し、各バネ材は中央部で螺旋捲きして当該螺旋巻き部から常時は僅かに傾斜して上下に伸びた線条体から成り、これらのバネ材はバネの力に抗して上下を押圧すると前記螺旋巻き部を支点として内側に折り曲げ可能とし、これらの枠体又は板体及びバネ材から成る立体枠体を柔軟な素材から成り、上端が開口した有底の袋状のバッグ本体で被い、前記バッグ本体の上下端、又は上下の枠体又は板体を前記バネ材が折り畳まれた状態で固定する係止手段を設けた、自立型折り畳みバッグとした。
【０００８】
また、請求項２の発明は、左右に間隔をあけて２つのバネ材を縦に並べ、これらの上下端を一体に接続した四辺形のバネ枠を２個相対向して設け、前記各バネ材は中央部で螺旋巻きして当該螺旋巻き部から常時は僅かに傾斜して上下に伸びた線条体から成り、これらのバネ材はバネの力に抗して上下方向に押圧すると前記螺旋巻き部を支点として内側に折り曲げ可能とし、これらの２個の各バネ枠の上片の間に、当該上片と略同じ長さの一対の辺を有する四辺形枠体を設け、前記各バネ枠の上片と相応する四辺形枠体の一片を回転自在に束ねる第１の接続部材を設け、前記各バネ枠の下片の間に、当該下片と略同じ長さの一対の辺を有する四辺形枠体又は四辺形板体を設け、前記各バネ枠の下片と相応する四辺形枠体の一片を回転自在に束ねる第１の接続部材を設けるか又は前記各バネ材の下片を相応する四辺形板体の両側縁に回転自在に取り付ける第２接続部材を設け、前記バネ枠及び四辺形枠体又は四辺形板体から成る立体枠体を柔軟な素材から成り、上端が開口した有底の袋状のバング本体で被い、前記バッグ本体の上下端、又はバネ枠の上片及び下片、又は上下の四辺形枠体又は四辺形板体を前記バネ材が折り畳まれた状態で固定する係止手段を設けた、自立型折り畳みバッグとした。
【０００９】
また、請求項３の発明は、前記立体枠体の内周面が柔軟な素材で被われた、請求項１又は２に記載の自立型折り畳みバッグとした。
【００１０】
また、請求項４の発明は、前記係止手段は、一方が前記バッグ本体の上端又は下端に取付けられたバックル雄型部材であり、他方が前記バッグ本体の下端又は上端に取付けられたバックル雌型部材である、請求項１〜３のいずれかに記載の自立型折り畳みバッグとした。
【００１１】
また、請求項５の発明は、前記バッグ本体の開口部の相対向する箇所に手提げが設けられた、請求項１〜４のいずれかに記載の自立型折り畳みバッグとした。
【発明の効果】
【００１２】
請求項１の発明によれば、前記バッグ本体の上下端、又は上下の枠体又は板体を前記バネ材が折り畳まれた状態で固定する係止手段を設けているため、当該バッグを使用しないときは、嵩が小さくなり、運搬や保管の際に場所を取らず、便利である。また、使用時は、前記係止手段の係止を解くと、瞬時に立ち上がり、容量が大きなバッグとなる。しかも、上下に伸びた線条体から成るバネ材を３本以上設けているため、バネ力が強固であり、永年使用にもバネ力が落ちない。また、従来の上下方向に螺旋状となったバネ材を骨格とする折り畳みバッグと異なり、長く使用してもバッグ本体が斜めに傾いたりしない。
【００１３】
また、特に請求項２の発明によれば、四辺形のバネ枠と四辺形枠体から成る立体枠体から構成されているため、部品点数も少なく、容易に製造することができる。しかも四辺形のバネ枠の２つのバネ材は一体に設けられているため、協同して動きやすく、立ち上がりや折り畳みがスムーズである。
【００１４】
また、請求項３の発明によれば、バネ材やバネ枠体等は外側面及び内側面とも柔軟な素材で被われているため、バネ材やバネ枠が収納物や使用者に当たらず、損傷が少なく、なた、収納物を傷つける恐れがない。耐久性も高い。
【００１５】
また、請求項４の発明によれば、係止手段がバックル雄部材とバックル雌部材から成るため、ワンタッチで係止でき、組み立て、折り畳み等が容易である。
【００１６】
また、請求項５の発明によれば、当該バッグの開口部に手提げを有するため、当該バッグの持ち運びに便利である。
【図面の簡単な説明】
【００１７】
【図１】この発明の実施の形態例１のバッグの立設した状態の斜視図である。
【図２】この発明の実施の形態例１のバッグの折り畳んだ状態の斜視図である。
【図３】この発明の実施の形態例１のバッグの骨組み状態を示す斜視図である。
【図４】この発明の実施の形態例１のバッグの骨組みを分解した状態を示す斜視図である。
【図５】この発明の実施の形態例１のバッグの骨組み状態の正面図である。
【図６】この発明の実施の形態例１のバッグの骨組み状態の側面図である。
【図７】この発明の実施の形態例１のバッグの骨組みの折り畳んだ状態の正面図である。
【図８】この発明の実施の形態例１のバッグの係止具を示す図で、（ａ）図は係止具を係止した状態の斜視図、（ｂ）図は係止具を外した状態の斜視図である。
【図９】この発明の実施の形態例２のバッグの骨組み状態の概略斜視図である。
【図１０】この発明の実施の形態例３のバッグの骨組み状態の概略斜視図である。
【図１１】この発明の実施の形態例４のバッグの骨組み状態の概略斜視図である。
【図１２】この発明の実施の形態例５のバッグの骨組み状態の概略斜視図である。
【図１３】この発明の実施の形態例２のバッグの骨組みのバネ材の取付け構成を示す斜視図である。
【発明を実施するための形態】
【００１８】
（実施の形態例１）
この発明の実施の形態例１のバッグを図１〜８に基づいてついて説明する。
【００１９】
この実施の形態例１のバッグは図３〜図６に示すような骨組み枠体１から構成されている。左右に間隔をあけて２つのバネ材２、２を縦に並べ、これらの上下端を上片３及び下片４で一体に接続した四辺形のバネ枠５、５を２個相対向して設けている。前記各バネ材２は中央部で螺旋巻きした螺旋巻き部２ａから線条体２ｂ、２ｂを同じ側に僅かに傾斜させて上下に伸ばして成る。そして、当該バネ材２はバネの力に抗して上下方向から押圧すると前記螺旋巻き部２ａを支点として線条体２ｂ、２ｂが内側に折り曲げ可能となっている。なお、前記螺旋巻き部２ａの螺旋巻き回数は任意である。
【００２０】
これらの２個の各バネ枠５の上片３及び下片４の間に、これらの上下片３、４と略同じ長さの一対の辺を有する四辺形枠体６、６を設け、前記各バネ枠５の上片３及び下片４と相応する上下の四辺形枠体６、６の各片を束ねて回転自在とする環状の第１の接続部材７を設けている。これにより直方体形状の骨組み枠体１を構成している。
【００２１】
この直方体形状の骨組み枠体１は両側のバネ枠５により、上から押圧すると、図７に示すように、バネ枠５の両バネ材２の線条体２ｂ、２ｂが螺旋巻き部２ａを支点として座屈し、上下の四辺形枠体６、６が相互に近接し、折り畳まれる。
【００２２】
そして、前記骨組み枠体１の下の四辺形枠体６内には底板８が設けられており、当該底板８は下の四辺形枠体６と２つのバネ枠５の下片４とを接続する４個の第１の接続部材７にその端縁を接続されている。また、これらの骨組み枠体１及び底板８の内面、外面が柔軟な素材、例えば、布、合成樹脂材等の袋状のバッグ本体９で被われている。また、このバッグ本体９と骨組み枠体１の上下の枠片とは適宜の複数箇所で、縫い込み等により固定されている。
【００２３】
さらに、前記各バネ枠５の上片３及び下片４の中央部に相応するバッグ本体９の箇所に夫々バックル雌型部材１０及びバックル雄型部材１１が設けられ、上記のように当該バッグを折り畳んだ際、これらのバックル雄型部材１１を雌型部材１０に嵌合させることにより、図２に示すように、折り畳んだ状態でバッグが係止される。
【００２４】
これらのバックル雌型部材１０及びバックル雄型部材１１は図８に示すように、従来から車の座席ベルトやリュックサック等の係止具で使用されている公知のものである。ただしこれらのバックル雌型部材１０及びバックル雄型部材１１は、この発明の必須要件ではなく、雄雌の面ファスナーやフック等の係止具でも良く、さらに、２つの紐状のものを結ぶ方式でも良い。
【００２５】
また、これらのバックル雌型部材１０及びバックル雄型部材１１が設けられていないバッグ本体９の相対向する上縁には手提げ１２が設けられている
【００２６】
この実施の形態例１の場合、前記バッグの各バネ材２を折り畳んだ状態で前記係止手段を構成するバックル雌型部材１０及びバックル雄型部材１１を接続係止することにより図２の状態となり、保管や運搬の際嵩張らず、コンパクトになり、場所を取らない。
【００２７】
また、このバッグを使用する場合、前記バックル雌型部材１０からバックル雄型部材１１を外すことにより、両側のバネ枠５の各バネ材２の力によりバッグ本体９は、図１に示すように、側面が伸長して起立し大きな容量のバッグとなる。この場合、当該バッグの相対向する両側面は各バネ枠５に支持され、強固なバッグとなる。
【００２８】
従って、当該バッグの中に収納物を入れてもバッグ本体９の開口部が収縮したり、崩れたりしない。また、長年使用しても、バネが緩んだりしない。
【００２９】
なお、上記実施の形態例１においては、下部の四辺形枠体６の中に底板８を設けているが、四辺形枠体６のみで、底板８は設けなくてもよい。又は下部の四辺形枠体６に代えて底板８を設け、当該底板８の両端縁に前記各バネ枠５の下片４を回転自在に取り付ける第２の接続部材（図示省略）を設けてもよい。
【００３０】
（実施の形態例２）
図９はこの発明の実施の形態例２のバッグの骨組み枠体の概略構成を示し、上下に間隔をあけて五角形枠体１５、１５を設け、これらの上下の五角形枠体１５、１５の各角部に、これらの上下の五角形枠体１５、１５を接続するバネ材１６を夫々設けたものである。これにより立体形状の骨組み枠体を設けたものである。さらに、図示は省略したが、他の構成である、この立体形状の骨組み枠体の内外面を被うバッグ本体、係止手段、手提げを設ける点等は、実施の形態例１と同じである。
【００３１】
また、前記各バネ材１６は図１３に示すように、中央部で螺旋巻きした螺旋巻き部１６ａから線条体１６ｂ、１６ｂを同じ側に僅かに傾斜させて上下に伸ばして成り、上下端に環状部１６ｃを夫々設け、当該各環状部１６ｃに上又は下の五角形枠体１５が挿入され、当該各環状部１６ｃの両脇の五角形枠１５に設けたストッパー１７、１７により各環状部１６の五角形枠１５に沿った移動は規制されている。これによりバネ材１６の上下の線条体１６ｂは五角形枠１５に対して垂直方向の回転のみが自在である。
【００３２】
従って、この実施の形態例２の場合も、上下の五角形枠体１５、１５を上から押圧すると、各バネ材１６が座屈し、バッグは折り畳まれる。
【００３３】
（実施の形態例３）
図１０はこの発明の実施の形態例３のバッグの骨組み枠体の概略構成を示し、上下に間隔をあけて三角形枠体１８、１８を設け、これらの上下の三角形枠体１８、１８の各角部に、これらの上下の三角形枠体１８、１８を接続するバネ材１９を夫々設けたものである。このバネ材１９の構成は、図１３で示したバネ材１６と同じ構成である。これにより立体形状の骨組み枠体を設けたものである。さらに、図示は省略したが、他の構成である、この立体形状の骨組み枠体の内外面を被うバッグ本体、係止手段、手提げを設ける点等は、実施の形態例１と同じである。
【００３４】
従って、この実施の形態例３の場合も、上下の三角形枠体１８、１８を上から押圧すると、各バネ材１９が座屈し、バッグは折り畳まれる。
【００３５】
（実施の形態例４）
図１１はこの発明の実施の形態例４のバッグの骨組み枠体の概略構成を示し、上下に間隔をあけて円形枠体２０、２０を設け、これらの上下の円形枠体２０、２０の、円形枠に沿って間隔を開けた３か所に、これらの上下の円形枠体２０、２０を接続するバネ材２１を夫々設けたものである。このバネ材２１の構成は、図１３で示したバネ材１６と同じ構成である。これにより立体形状の骨組み枠体を設けたものである。さらに、図示は省略したが、他の構成である、この立体形状の骨組み枠体の内外面を被うバッグ本体、係止手段、手提げを設ける点等は、実施の形態例１と同じである。
【００３６】
従って、この実施の形態例４の場合も、上下の円形枠体２０、２０を上から押圧すると、各バネ材２１が座屈し、バッグは折り畳まれる。
【００３７】
（実施の形態例５）
図１２はこの発明の実施の形態例５のバッグの骨組み枠体の概略構成を示し、上下に間隔をあけて六角形枠体２２、２２を設け、これらの上下の六角形枠体２２、２２の、相対向する４か所の角部に、これらの上下の六角形枠体２２、２２を接続するバネ材２３を夫々設けたものである。このバネ材２３の構成は、図１３で示したバネ材１６と同じ構成である。これにより立体形状の骨組み枠体を設けたものである。さらに、図示は省略したが、他の構成である、この立体形状の骨組み枠体の内外面を被うバッグ本体、係止手段、手提げを設ける点等は、実施の形態例１と同じである。
【００３８】
また、この実施の形態例５の場合、六角形枠体２２の相対向する４か所にバネ材２３を設けているが、これらのバネ材２３を６か所設けても良い。さらには、上記４個のバネ材２３を前記実施の形態例１の、２つのバネ材２を上片３及び下片４で一体に接続したバネ枠５で構成し、当該バネ枠５を２個使用した構成としても良い。
【００３９】
この実施の形態例５の場合も、上下の六角形枠体２２、２２を上から押圧すると、各バネ材２３が座屈し、バッグは折り畳まれる。
【符号の説明】
【００４０】
１      骨組み枠体              ２        バネ材
２ａ    螺旋巻部                ２ｂ      線条体          
３      上片                    ４        下片            
５      バネ枠                  ６        四辺形枠体
７      第１の接続部材          ８        底板
９      バッグ本体              １０      バックル雌型部材
１１    バックル雄型部材        １２      手提げ
１５    五角形枠体              １６      バネ材
１６ａ  螺旋巻き部              １６ｂ    線条体
１６ｃ  環状部                  １７      ストッパー
１８    三角形枠体              １９      バネ材
２０    円形枠体                ２１      バネ材
２２    六角形枠体              ２３      バネ材
【図１】
2017185091.tif 000003
【図２】
2017185091.tif 000004
【図３】
2017185091.tif 000005
【図４】
2017185091.tif 000006
【図５】
2017185091.tif 000007
【図６】
2017185091.tif 000008
【図７】
2017185091.tif 000009
【図８】
2017185091.tif 000010
【図９】
2017185091.tif 000011
【図１０】
2017185091.tif 000012
【図１１】
2017185091.tif 000013
【図１２】
2017185091.tif 000014
【図１３】
2017185091.tif 000015